(57)【要約】【課題】ストラップなどに取り付けて携帯することにより、発芽から生育するまでの植物を、いつでもどこでも観賞できる楽しみがあると共に、食卓、机、台などの上にでも設置でき、室内装飾のインテリアやディスプレーとして利用できる植物栽培容器を提供すること。【解決手段】底面部９に吸水孔１０を穿設してあり、種子と植物を生育するための用土を収容する本体容器１と、その本体容器１の下面部に着脱自在となる貯水容器２と、上面部に着脱自在となる空気孔１６を穿設した透明キャップ体３と、用土の表面に載置する水分摂取検知リング４から構成している。【選択図】図２
0003143545.tif 000002
【実用新案登録請求の範囲】
【請求項１】
底面部に吸水孔を穿設してあり、種子と植物を生育するための用土を収容する本体容器と、その本体容器の下面部に着脱自在となる貯水容器と、上面部に着脱自在となる空気孔を穿設した透明キャップ体と、用土の表面に載置する水分摂取検知リングから構成したことを特徴とする植物栽培容器。
【請求項２】
前記透明キャップ体は、円錐状に形成されたプラスチック製であり、その先端部に連結部材を取り付けてあることを特徴とする請求項１に記載の植物栽培容器。
【請求項３】
前記連結部材に貯水容器を螺着した本体容器を載せるリング体を着脱自在にしてあることを特徴とする請求項２に記載の植物栽培容器。
【考案の詳細な説明】
【技術分野】
【０００１】
本考案は、携帯電話機などのストラップにアクセサリーとして取り付けるミニ植物入りの栽培容器で、いつでもどこでも植物を観賞できると共に、食卓、机、台などに置くことができインテリアとしても好適な植物栽培容器に関するものである。
【背景技術】
【０００２】
従来から、例えば携帯電話機などのストラップには、それぞれの所有者の嗜好に応じてアクセサリーやマスコットキャラクターなどが取り付けられているのが一般的であるが、それらは変化に乏しくすぐに飽きられる。
【０００３】
上記解決するものとして、透光性を有する中空カプセル内にミニチュアサイズの植物を収容した携帯型植物育成カプセルが知られている。これは発芽から生育するまでの成長変化を楽しむことができると共に、いつでもどこでも植物を観賞することができることから、癒されて心が落ちつくなどの効果があって携帯電話機などのストラップのアクセサリーとして提案されている（例えば、特許文献１参照）。
【０００４】
上記特許文献１は、中空カプセル内に植物の種子およびその生育に必要な栄養素を封入しただけに過ぎず、生育に一番大事な保水性を正確に把握するのが困難であることから、植物を大きく生育させるのが難しかった。
【０００５】
このような問題点を解消するものとして、透光性の中空カプセルの内に植物の種子およびその生育に必要な水分と栄養素を有する育成土壌を封入し、その育成土壌に水量指標板を差し込んでおき、保水性を一瞥できるようにしたものが提案されている(例えば、特許文献２参照)。
【０００６】
【特許文献１】実用新案登録第３０８３７１６号公報
【特許文献２】実用新案登録第３１３９１４５号公報
【考案の開示】
【考案が解決しようとする課題】
【０００７】
しかしながら、上記特許文献２は、育成土壌に水分を補給する時に、育成土壌を収容した容器底蓋を外した状態にして、溜水に漬けて底蓋に穿設された通水孔から水分を補給しており、その水分補給の作業が非常に面倒であると共に、育成土壌に充分保水されたか、的確な判断ができなく、凡その勘で行っている。そのため、生育に一番大事な保水性の信頼度が確実でないといった問題点があった。
【０００８】
また、育成土壌の保水性を検知する指標板が育成土壌に差し込んであるが、中空カプセルはストラップなどに取り付けられて携帯中に揺れ動くことから、差し込まれた指標板が倒れたり、外れたりして検出しにくかった。さらに、指標板は土壌から突出しているから、日光の摂取の妨げになり成長に悪影響を与えることがあると共に、指標板の差し込みの設定が曖昧なことで、差し込み程度によっては底部まで入り正確な水分量の検知ができなかった。さらに、容器底蓋に吸水孔があるため、携行時に衝撃が加わったり揺れたりすると土や水分が流出するばかりでなく、机や台の上に置くと水分が流出して置台を汚すといった問題点があった。
【０００９】
また、この携帯型植物育成カプセルを、携帯電話機などのストラップスに取り付けて携帯している時には、植物を見ることはできても、携帯しない時には、携帯電話機と同じところにあって横倒しの状態になることが多くアクセサリーの機能を有していなかった。すなわち、そのカプセルだけで装飾物や置物などインテリアとしての利用ができないといった問題点があった。
【００１０】
本考案は、上記のような問題点に鑑み、研究開発されたものであり、ストラップなどに取り付けて携帯することにより、発芽から生育するまでの植物を、いつでもどこでも観賞できる楽しみがあると共に、食卓、机、台などの上にでも設置でき、室内装飾のインテリアやディスプレーとしても利用できる植物栽培容器を提供することを目的とするものである。
【課題を解決するための手段】
【００１１】
本考案は、底面部に吸水孔を穿設してあり、種子と植物を生育するための用土を収容する本体容器と、その本体容器の下面部に着脱自在となる貯水容器と、上面部に着脱自在となる空気孔を穿設した透明キャップ体と、用土の表面に載置する水分摂取検知リングから構成したことを特徴とする植物栽培容器を開発し、採用した。
【００１２】
上記のように構成した植物栽培容器において、前記透明キャップ体は、円錐状に形成されたプラスチック製であり、その先端部に連結部材を取り付けてあることを特徴とする植物栽培容器、および前記連結部材に貯水容器を螺着した本体容器を載せるリング体を着脱自在にしてあることを特徴とする植物栽培容器を開発し、採用した。
【考案の効果】
【００１３】
本発明は、用土を収容する本体容器の底面部に吸水孔を設けてあり、その吸水孔は貯水部容器の中にあるから、毛細管現象で水が用土の表面まで吸い上げられ保水性不足による発育不良がなくなる。また、貯水容器には一定量の水しか貯水できないので、的確な吸水管理ができる。さらに、貯水容器および透明キャップ体は、本体容器と螺合による着脱自在にしてあるから、携行時などにおいても外れたりすることなく、また吸水時や成長した植物を植生ポットなどに移植する時に容易に行える。
【００１４】
また、透明キャップ体により日光を取り入れることができると共に、空気孔を設けてあるから、外部との空気循環を活発化し、植物の根や葉に酸素を供給して生育することができる。また、水分摂取検知リングが用土の表面にあるから、平面からみれば用土の保水性を容易に確実に確認することができる。
【００１５】
透明キャップ体に連結部材を取り付けてあるから、携帯電話機などの他物と連結して携行でき、携行している時に、発芽から生育までの経時的変化を楽しむことができると共に、いつでもどこでも身近に植物を観賞することができる。
【００１６】
連結部材に取り付けてあるリング体を外して、そのリング体を食卓、机、台などの上に置き、貯水容器を螺着した本体容器を載せることにより、室内装飾やディスプレーとしても利用できると共に、日当たりの良い場所に置くことにより生育を早めることが可能になる。
【考案を実施するための最良の形態】
【００１７】
以下に、本考案の実施の形態を図面に基づいて説明すれば、本考案の植物栽培容器は、大別して種子と植物を生育するための用土を収容する本体容器１と、本体容器１の底面部の外周面を覆う貯水容器２と、本体容器１の上部に設ける透明キャップ体３と、用土の表面に載置する水分摂取検知リング４とで構成されている。
【００１８】
上記本体容器１は、図３，４に示すように、プラスチック製の有底短円筒状体であり、胴部５の外周面部に鍔部６を一体的に突設し、その鍔部６の上部と下部の外周面にそれぞれ雄螺子７、８を螺設してあり、後述の透明キャップ体３と貯水容器２を螺着して着脱自在になっている。９は半円形に形成した底面部であり、その中心部の縦方向と横方向に所定の間隔で３個ずつの吸水孔１０，１０，１０、１０，１０，１０を穿設してあり、水分を補給することができる。１１は胴部５の内周面に設けた段部１１であり水分摂取検知リング４を受止するようになっている。
【００１９】
貯水容器２は、図５，６に示すように、本体容器１の底面部９より大径に形成された半球状で、貯水量を外部から確認できる透明プラスチック製であり、上端開口部１２の内周面に設けられている雌螺子１３と前記胴部５の外周面に螺設した雄螺子８と螺着して着脱自在になっている。この貯水容器２は、水分を補給、維持する役割と共に用土から排出される水分の受け皿にもなり、また、用土や水分の漏れを防いで植物の発育不良や土や水が他物に付着することを防いでいる。即ち、本体容器１の底面部９に螺着した状態にあっては、図２に示すように、本体容器１の底面部９と貯水容器２との間の空間部に水Ｗがあり、本体容器１の底面部９は水中にあり、吸水孔１０，１０，１０、１０，１０，１０を通じて水分を補給している。
【００２０】
透明キャップ体３は、図７，８に示すように、縦方向に長い日光の当たりやすい円錐状に形成された透明プラスチック製であり、下端開口部１４の内周面に雌螺子１５を設けてあり、この雌螺子１５と前記胴部５の雄螺子７と螺着して着脱自在になっている。１６は透明キャップ体３の正面部上方と背面部上方に穿設した空気孔であり、外部との空気循環を活発化すると共に、植物の根や葉に酸素を供給している。１７は環状金具、１８はその取り付け用孔であり、環状金具１７には連結金具や紐などの連結部材１９を連結してあると共に、シリコン製のリング体２０を取り付けてある。
【００２１】
水分摂取検知リング４は、図９，１０に示すように、本体容器１の内周面の段部１１に受け止められる大きさのもので、用土の表面に載置してあり、色の変化により保水状態と保水不足を知らせるものであり、本体容器１の上からみれば容易に知ることができるようになっている。
【００２２】
リング押さえ２１は、図１１，１２に示すように、水分摂取検知リング４よりやや大径のリング体であり、下面部で水分摂取検知リング４の表面を押さえつけるようになっていて上端開口部１２に嵌合し、その表面の一側に上方に突出する指摘み片２２を設けてあり、その指摘み片２２を摘むことにより取り外すことができるようになっている。
【００２３】
このように構成した本考案の使用例を説明すると、本体容器１に植物Ｐを生育する用土を収容しておき、野菜、草花、サボテンなどの種子を蒔き、貯水容器２と透明キヤップ体３を本体容器１に螺着する。貯水容器２に充填された水が吸水孔１０，１０，１０、１０，１０，１０を通じ毛細管現象により用土に吸い上げられ保水すると共に、透明キャップ体３から光を受けるとともに、空気孔１６により植物の根や葉に酸素を供給するので生育する。
【００２４】
そして、土壌から種が発芽して植物Ｐが経時的に生育していくのを透明キャップ体３の外から見ることができ、その透明キャップ体３に図１３，１４に示すように、環状金具１７に連結部材１９を取り付け、例えば、図１５，図１６のように、携帯電話機２３のストラップ２４やカバン２５の把手２６に吊り下げるアクセサリーとしたり、図１７，１８に示すように、ネックレス２７やイヤリング２８などの装飾品にもなる。
【００２５】
さらに、図１９に示すように、連結部材１９に取り付けてあるシリコン製のリング体２０を外して、食卓、机、台などの上に設置し、そのシリコン製のリング体２０に貯水容器２を螺着した本体容器１のを嵌め込んでおけば倒れたりすることなく、室内装飾のインテリアになったりディスプレーとしても利用できる至便性がある。
【００２６】
また、透明キャップ体３内で生育して大きくなると、透明キャップ体３を外して植物Ｐを取り出し、別途の植生ポットなどに移植して、植物Ｐの成長を守り育て続けることができる。
【００２７】
以上、本考案の主要な実施の形態について説明したが、本考案は上記実施の例に限らず、本考案の目的を達成でき、かつ本考案の要旨を逸脱しない範囲内で種々の設計変更が可能である。
【産業上の利用可能性】
【００２８】
本考案は、携帯電話機のストラップやカバンの把手に吊り下げるアクセサリーだけでなく、ネックレスやイヤリングなどの装飾品、あるいは食卓、机、台などの上にリング体を置き、その上に本体容器をはめ込んで室内装飾具やディスプレー具としても利用できるものである。
【図面の簡単な説明】
【００２９】
【図１】本考案の植物栽培容器の正面図である。
【図２】図１のＡ−Ａ線断面図である。
【図３】容器本体の平面図である。
【図４】図３のＢ−Ｂ線断面図である。
【図５】貯水容器の平面図である。
【図６】図５のＣ−Ｃ線断面図である。
【図７】透明キャップの平面図である。
【図８】図７のＤ−Ｄ線断面図である。
【図９】水分摂取検知リングの平面図である。
【図１０】図９のＥ−Ｅ線断面図である。
【図１１】リング押さえの平面図である。
【図１２】図１１のＦ−Ｆ線断図である。
【図１３】連結具を取り付けた状態の植物栽培容器の正面図である。
【図１４】連結具からリングを外した状態の植物栽培容器の正面図である。
【図１５】携帯電話機に取り付けた状態の簡略正面図である。
【図１６】カバンの把手に取り付けた状態の簡略正面図である。
【図１７】ネックレスとして使用した状態の簡略正面図である。
【図１８】イヤリングとして使用した状態の簡略正面図である。
【図１９】リングを台の上に置き容器本体を嵌合した状態の正面図である。
【符号の説明】
【００３０】
１  本体容器
２  貯水容器
３  透明キャップ体
４  水分摂取検知リング
９  底面部
１０  吸水孔
１６  空気孔
１９  連結部材
２０  リング体
【図１】
0003143545.tif 000003
【図２】
0003143545.tif 000004
【図３】
0003143545.tif 000005
【図４】
0003143545.tif 000006
【図５】
0003143545.tif 000007
【図６】
0003143545.tif 000008
【図７】
0003143545.tif 000009
【図８】
0003143545.tif 000010
【図９】
0003143545.tif 000011
【図１０】
0003143545.tif 000012
【図１１】
0003143545.tif 000013
【図１２】
0003143545.tif 000014
【図１３】
0003143545.tif 000015
【図１４】
0003143545.tif 000016
【図１５】
0003143545.tif 000017
【図１６】
0003143545.tif 000018
【図１７】
0003143545.tif 000019
【図１８】
0003143545.tif 000020
【図１９】
0003143545.tif 000021